(57)【要約】      （修正有）【課題】ホースの折れ潰れによる送水効率の低下を防ぐ装置を提供する。【解決手段】ホースの水圧によりその形状に影響を受けないほどの硬質性を有し、かつ可とう性をも有する素材によりホースを包み込むほどの径となる筒を形成して、その長さ方向の全長にわたってスリットを設けて、ホースが内部に送水されてない状態でこのスリットより筒内部へホースを挿入して、送水時にホースが折れつぶれないように維持する。【選択図】図２
0003131739.tif 000002
【実用新案登録請求の範囲】
【請求項１】
ホースの水圧によりその形状に影響を受けないほどの硬質性を有しかつ可とう性をも有する素材により、ホースを包み込むほどの径となる筒を形成して図1のようにその長さ方向の全長にわたってスリットを設けて、ホースが内部に送水されてない状態でこのスリットより筒内部へホースを挿入して、図2のように送水時にホースが折れつぶれないように維持するホースの折れ潰れ防止装置。
【考案の詳細な説明】
【技術分野】
【０００１】
この考案はホースの折れ潰れ防止装置に関するものである。
【背景技術】
【０００２】
従来のホースは経路上の屈曲部では水圧により折れ潰れて送水効率が著しく低下していた。
【０００３】
この解決方法として効率低下を見込んでポンプ台数を増やすか、図5のように折れ潰れる部分でホースを切断してエルボ管の両端にその切断したホースを接続して送水効率の低下を防いでいた。
【特許文献１】公開実用新案平4−82493
【特許文献２】登録実用新案3066050号
【考案の開示】
【考案が解決しようとする課題】
【０００４】
この考案はホースの折れ潰れによる送水効率の低下を防ぐ装置を提供するものである。
【０００５】
また従来、本考案と同様にスリットを設けた筒状の管による考案(公開実用新案平4−82493、登録実用新案3066050号)があるが、ホースの使用時はその特徴から使用期間が短期間でかつその使用状態の変更が頻繁に行われるにもかかわらず、装置の屈曲角度が一定に固定されているため数種類の屈曲角度を有する装置を多数揃えなければならないという問題点があった。
【課題を解決するための手段】
【０００６】
ホースの水圧によりその形状に影響を受けないほどの硬質性を有しかつ可とう性をも有する素材により、ホースを包み込むほどの径となる筒を形成して図1のようにその長さ方向の全長にわたってスリットを設けて、ホースが内部に送水されてない状態でこのスリットより筒内部へホースを挿入して、図2のように送水時にホースが折れつぶれないように維持する。
【考案の効果】
【０００７】
ホースの特長である設置時間の短さ、費用の安さ、収納しての可搬性の良さを損なうことなく塩化ビニルパイプなどで配管された時と同等の送水効率を得られる。これによりポンプの動力となるエネルギーを節約できエネルギー取得費用を低減できる。
【０００８】
またホースを切断してエルボ管に接続した場合に比してホースが短物とならないのでホースの再利用性が高まり資源節約となる。
【実施例】
【０００９】
ホースを平坦な所に布設して使用するときは図2のように屈曲箇所を本装置へ挿入するだけで効果が得られる。
【００１０】
図3のようにホース配管経路中、空中でホースが屈曲するところではその屈曲するであろう箇所を本装置に挿入しロープで縛るか既存の配管支持材にて近くの構造体より本装置ごと支持して使用する。また空中の部分が長い場合はその経路が直線であっても本装置を同様に使用して垂れ下がりによる折れ潰れを防止できる。
【００１１】
図4のように消防用ホースをベランダ越えするとき、または床面からその床に置かれた水槽へ送水する時などはその壁の上部にてホースが折れ潰れるであろう箇所及びその下部のホース立ち上がり、立下りの屈曲箇所を本装置に挿入して使用する。
【００１２】
本件考案者は電気工事で一般に使用されている地中埋設用可とう電線管にスリットを設けて実施して、ホースの水圧によりその形状に影響を受けずかつそれ自体が可とう性を有し自在に湾曲してホースの折れ潰れを防ぐことを確認している。
【産業上の利用可能性】
【００１３】
本考案は軟質ビニルホース、布製ホースの折れ潰れ防止のほかビニル製簡易型風管の折れ潰れ防止にも使用できる。
【図面の簡単な説明】
【００１４】
【図１】本考案による装置の斜視図。
【図２】本考案による装置使用時の様子を示した斜視図。
【図３】ホース屈曲部が空中にある場合の本装置使用時の様子を示した概略側面図。
【図４】ベランダ上部または水槽の壁上部等のホース屈曲箇所に本装置を使用した時の様子を示した概略側面図。
【図５】エルボ管に切断したホースの両端を接続して折れ潰れを防いでいる従来の方法を示した斜視図。
【符号の説明】
【００１５】
1  本装置
2  ホース
3  既存配管支持材
4  ベランダ又は水槽の壁
5  エルボ管
6  結束材
7  構造体
【図１】
0003131739.tif 000003
【図２】
0003131739.tif 000004
【図３】
0003131739.tif 000005
【図４】
0003131739.tif 000006
【図５】
0003131739.tif 000007
【手続補正書】
【提出日】平成19年3月6日(2007.3.6)
【手続補正１】
【補正対象書類名】実用新案登録請求の範囲
【補正対象項目名】請求項１
【補正方法】変更
【補正の内容】
【請求項１】
軟質ホース、布製ホース等の折れ潰れ易いホースの折れ潰れを防止する筒であって、前記筒はホースを包み込むほどの径を有し、かつ側壁に長さ方向のスリットを有するとともに、前記スリットからホースを挿入してその中に送水した時、同ホースが屈曲して折れ潰れるのを自在に湾曲して防止する可とう性と硬質性を有していることを特徴とするホースの折れ潰れを防止する筒。
【手続補正２】
【補正対象書類名】明細書
【補正対象項目名】全文
【補正方法】変更
【補正の内容】
【考案の詳細な説明】
【技術分野】
【０００１】
この考案は軟質ビニルホース、布製ホース等の折れ潰れ易いホースの折れ潰れを防止する筒に関するものである。
【背景技術】
【０００２】
従来の軟質ビニルホース、布製ホース等の折れ潰れ易いホースは経路上の屈曲部では水圧により折れ潰れて送水効率が著しく低下していた。
【０００３】
この解決方法として効率低下を見込んでポンプ台数を増やすか、図5のように折れ潰れる部分でホースを切断してエルボ管の両端にその切断したホースを接続して送水効率の低下を防いでいた。
【特許文献１】実用新案出願公開平4−82493号
【特許文献２】登録実用新案第3066050号
【考案の開示】
【考案が解決しようとする課題】
【０００４】
この考案は軟質ビニルホース、布製ホース等の折れ潰れ易いホースの折れ潰れを防止する筒を提供することを課題とする。
【０００５】
また従来、本考案と同様にスリットを設けた筒状の管による考案(実用新案出願公開平4−82493号、登録実用新案第3066050号)があるが、ホースの使用時はその特徴から使用期間が短期間でかつその使用状態の変更が頻繁に行われるにもかかわらず、装置の屈曲角度が一定に固定されているため数種類の屈曲角度を有する筒を多数揃えなければならないという問題点があった。
【課題を解決するための手段】
【０００６】
本考案が上記課題を解決するために提供するホースの折れ潰れを防止する筒は、軟質ホース、布製ホース等の折れ潰れ易いホースの折れ潰れを防止する筒であって、前記筒はホースを包み込むほどの径を有し、かつ側壁に長さ方向のスリットを有するとともに、前記スリットからホースを挿入してその中に送水した時、同ホースが屈曲して折れ潰れるのを自在に湾曲して防止する可とう性と硬質性を有していることを特徴とするものである。
【考案の効果】
【０００７】
ホースの特長である設置時間の短さ、費用の安さ、収納しての可搬性の良さを損なうことなく塩化ビニルパイプなどで配管された時と同等の送水効率を得られる。これによりポンプの動力となるエネルギーを節約できエネルギー取得費用を低減できる。
【０００８】
本考案によるホースの折れ潰れを防止する筒は、それ自体が可とう性を有しているのでどのような屈曲角度にも対応でき、ホースが屈曲する箇所の個数分だけ揃えれば良い。またホースを切断してエルボ管に接続した場合に比してホースが短物とならないのでホースの再利用性が高まり資源節約となる。
【考案を実施するための最良の形態】
【０００９】
以下、本考案の実施の形態を実施例によって図面を参照しながら説明する。
【実施例】
【００１０】
ホースを平坦な所に布設して使用するときは図2のようにホースの屈曲箇所をホースが内部に送水されていない状態でスリットより筒内へ挿入し、その後ホースに送水するだけで効果が得られる。
【００１１】
図3のようにホース配管経路中、空中でホースが屈曲するところではその屈曲するであろう箇所を、同様に筒内へ挿入し、ロープで縛るか既存の配管支持材にて近くの構造体より筒ごと支持して使用する。また空中の部分が長い場合はその経路が直線であっても実施例による筒を同様に使用して垂れ下がりによる折れ潰れを防止できる。
【００１２】
図4のように消防用ホースをベランダ越えするとき、または床面からその床に置かれた水槽へ送水する時などは、その壁の上部にてホースが折れ潰れるであろう箇所及びその下部のホース立ち上がり、立下りの屈曲箇所を筒内へ挿入して使用する。
【００１３】
本件考案者は電気工事で一般に使用されている地中埋設用可とう電線管にスリットを設けて実施して、ホースの水圧によりその形状に影響を受けずかつそれ自体が可とう性を有し自在に湾曲してホースの折れ潰れを防ぐことを確認している。
【産業上の利用可能性】
【００１４】
本考案は軟質ビニルホース、布製ホースの折れ潰れ防止のほかビニル製簡易型風管の折れ潰れ防止にも使用できる。
【図面の簡単な説明】
【００１５】
【図１】実施例の筒の斜視図。
【図２】実施例の筒使用時の様子を示した斜視図。
【図３】ホース屈曲部が空中にある場合の実施例による筒の使用時の様子を示した概略側面図。
【図４】ベランダ上部または水槽の壁上部等のホース屈曲箇所に実施例による筒を使用した時の様子を示した概略側面図。
【図５】エルボ管に切断したホースの両端を接続して折れ潰れを防いでいる従来のエルボ管の斜視図。
【符号の説明】
【００１６】
1  筒
2  ホース
3  既存配管支持材
4  ベランダ又は水槽の壁